(57)【要約】【課題】ユーザ毎に異なるパスワードを設定可能として、閲覧等を制限し、プライバシーの保護を簡便にできるようにしたデジタルビデオシステムを提供する。【解決手段】第２管理レベル制御部５５が、再生又は編集時に第２入力部５７によって入力されたパスワードのデータと第２データ管理情報記録部５４２に記録されているパスワードを照合し、両者が一致する場合に、画像再生装置５によって画像の再生又は編集を受け付ける。【選択図】図１
2011108108.tif 000002
【特許請求の範囲】
【請求項１】
画像を撮像する画像撮像装置と、前記画像撮像装置によって撮像された画像を再生する画像再生装置とを備えたデジタルビデオシステムにおいて、
前記画像撮像装置は、撮像された画像のデータを記録する第１画像記録手段と、画像の撮像時又は撮像後にその画像の管理レベル及び該管理レベルに対応するパスワードを入力するための第１入力手段と、前記第１入力手段によって入力された管理レベル及びパスワードのデータを前記画像のデータに関連づけて記録する第１データ管理情報記録手段と、第１画像記録手段に記録されている前記画像のデータ及び前記第１データ管理情報記録手段に記録されている前記管理レベル及びパスワードのデータを前記画像再生装置に転送する転送制御手段とを有し、
前記画像再生装置は、前記画像撮像装置の転送制御手段によって転送された前記画像、管理レベル及びパスワードのデータを受信する受信手段と、前記受信手段によって受信された前記画像のデータを記録する第２画像記録手段と、管理レベル及びパスワードのデータを記録する第２データ管理情報記録手段と、画像の再生又は編集時にパスワードを入力するための第２入力手段と、前記第２入力手段によって入力されたパスワードのデータと前記第２データ管理情報記録手段に記録されているパスワードのデータとを照合し、前記第２入力手段によって入力されたパスワードのデータと前記第２データ管理情報記録手段に記録されているパスワードのデータが一致する場合に、第２画像記録手段に記録されている画像の再生又は編集を受け付ける管理レベル制御手段とを有することを特徴とするデジタルビデオシステム。
【請求項２】
前記転送制御手段は、前記画像撮像装置と前記画像再生装置が接続され、前記第１データ管理情報記録手段と前記第２データ管理情報記録手段が互いに対応関係にあるとき、前記画像記録手段に記録されている前記画像のデータ及び前記第１データ管理情報記録手段に記録されている前記管理レベル及びパスワードのデータを前記画像再生装置に転送することを特徴とする請求項１に記載のデジタルビデオシステム。
【請求項３】
前記画像再生装置は、前記第２入力手段によって入力されたパスワードのデータを前記画像撮像装置に送信し、
前記画像撮像装置の転送制御手段は、前記画像再生装置から送信されたパスワードのデータと前記第１データ管理情報記録手段に記録されているパスワードのデータを照合し、前記画像再生装置から送信されたパスワードのデータと前記第１データ管理情報記録手段に記録されているパスワードのデータが一致する場合に、前記画像記録手段に記録されている前記画像のデータ及び前記第１データ管理情報記録手段に記録されている前記管理レベル及びパスワードのデータを転送することを特徴とする請求項２に記載のデジタルビデオシステム。
【請求項４】
前記画像、管理レベル及びパスワードのデータは、同一の伝送線路を介して転送されることを特徴とする請求項１乃至請求項３に記載のデジタルビデオシステム。
【請求項５】
前記画像のデータと、前記管理レベル及びパスワードのデータとは、異なる伝送線路を介して転送されることを特徴とする請求項１乃至請求項３に記載のデジタルビデオシステム。
【請求項６】
請求項１乃至請求項３に記載のデジタルビデオシステムに用いられる画像再生装置。
【発明の詳細な説明】
【技術分野】
【０００１】
本発明は、デジタルビデオシステムに関するものである。
【背景技術】
【０００２】
従来から、デジタルビデオカメラ等のデジタルビデオシステムにおいては、画像データの取り扱いに関して種々の提案がなされている。例えば、特許文献１には、特定の画像データが特定の機器以外で見られることを防止するために、暗号化した画像データを外部機器に送信する技術が示されている。また、特許文献２には、画像データに識別情報を付加して外部機器に送信し、外部機器は、受信した画像データに付加されている識別情報と、予め記憶している識別情報とが一致した場合、受信した画像データを記憶する技術が示されている。また、特許文献３には、使用者毎及び装置毎の画像の再生及び消去を制限するために、画像に本体パスワードを付加して記録媒体に記録し、画像のファイルに付加されたデータパスワードと本体パスワードが一致する場合は、記録媒体の画像を外部装置に対して送信する技術が示されている。また、特許文献４には、画像に関するプライバシー等を保護するために、元画像を復元してそれを視認可能な状態にするための権限管理情報を加工画像に関連付けて画像ファイルに格納し、画像ファイル内の権限管理情報に基づいてファイルの送信許可を判別する技術が示されている。また、特許文献５には、再生装置からのＩＤ又はパスワードを含む無線ＩＣタグとコマンドに応答して画像データを送信する技術が示されている。
【先行技術文献】
【特許文献】
【０００３】
【特許文献１】特開平１０−２５７４１６号公報
【特許文献２】特開平１０−２４８０４５号公報
【特許文献３】特開２００６−１２１５０７号公報
【特許文献４】特開２００９−０３３７３８号公報
【特許文献５】特開２００６−２１７２２０号公報
【発明の概要】
【発明が解決しようとする課題】
【０００４】
一般に、一つのデジタルビデオシステムを使用するユーザが増えると、各ユーザのプライバシー保護の要請から、ユーザ毎に異なる管理レベルで画像の閲覧等を管理できるシステムが望まれる。しかしながら、上記いずれの特許文献に記載の技術を用いても、複数のユーザ毎に異なる管理レベルでパスワードを設定し、閲覧等の制限を設けることが困難であった。
【０００５】
本発明は、上記課題を解決するためになされたものであり、ユーザ毎に異なる管理レベルでパスワードを設定可能として、閲覧等を制限し、プライバシーの保護を簡便にできるようにしたデジタルビデオシステムを提供することを目的とする。
【課題を解決するための手段】
【０００６】
上記目的を達成するために請求項１の発明は、画像を撮像する画像撮像装置と、前記画像撮像装置によって撮像された画像を再生する画像再生装置とを備えたデジタルビデオシステムにおいて、前記画像撮像装置は、撮像された画像のデータを記録する第１画像記録手段と、画像の撮像時又は撮像後にその画像の管理レベル及び該管理レベルに対応するパスワードを入力するための第１入力手段と、前記第１入力手段によって入力された管理レベル及びパスワードのデータを前記画像のデータに関連づけて記録する第１データ管理情報記録手段と、第１画像記録手段に記録されている前記画像のデータ及び前記第１データ管理情報記録手段に記録されている前記管理レベル及びパスワードのデータを前記画像再生装置に転送する転送制御手段とを有し、前記画像再生装置は、前記画像撮像装置の転送制御手段によって転送された前記画像、管理レベル及びパスワードのデータを受信する受信手段と、前記受信手段によって受信された前記画像のデータを記録する第２画像記録手段と、管理レベル及びパスワードのデータを記録する第２データ管理情報記録手段と、画像の再生又は編集時にパスワードを入力するための第２入力手段と、前記第２入力手段によって入力されたパスワードのデータと前記第２データ管理情報記録手段に記録されているパスワードのデータとを照合し、前記第２入力手段によって入力されたパスワードのデータと前記第２データ管理情報記録手段に記録されているパスワードのデータが一致する場合に、第２画像記録手段に記録されている画像の再生又は編集を受け付ける管理レベル制御手段とを有することを特徴とする。
【０００７】
請求項２の発明は、請求項１に記載のデジタルビデオシステムにおいて、前記転送制御手段は、前記画像撮像装置と前記画像再生装置が接続され、前記第１データ管理情報記録手段と前記第２データ管理情報記録手段が互いに対応関係にあるとき、前記画像記録手段に記録されている前記画像のデータ及び前記第１データ管理情報記録手段に記録されている前記管理レベル及びパスワードのデータを前記画像再生装置に転送することを特徴とする。
【０００８】
請求項３の発明は、請求項２に記載のデジタルビデオシステムにおいて、前記画像再生装置は、前記第２入力手段によって入力されたパスワードのデータを前記画像撮像装置に送信し、前記画像撮像装置の転送制御手段は、前記画像再生装置から送信されたパスワードのデータと前記第１データ管理情報記録手段に記録されているパスワードのデータを照合し、前記画像再生装置から送信されたパスワードのデータと前記第１データ管理情報記録手段に記録されているパスワードのデータが一致する場合に、前記画像記録手段に記録されている前記画像のデータ及び前記第１データ管理情報記録手段に記録されている前記管理レベル及びパスワードのデータを転送することを特徴とする。
【０００９】
請求項４の発明は、請求項１乃至請求項３に記載のデジタルビデオシステムにおいて、前記画像、管理レベル及びパスワードのデータは、同一の伝送線路を介して転送されることを特徴とする。
【００１０】
請求項５の発明は、請求項１乃至請求項３に記載のデジタルビデオシステムにおいて、前記画像のデータと、前記管理レベル及びパスワードのデータとは、異なるの伝送線路を介して転送されることを特徴とする。
【００１１】
請求項６の発明は、請求項１乃至請求項３に記載のデジタルビデオシステムに用いられる画像再生装置である。
【発明の効果】
【００１２】
請求項１の発明によれば、画像撮像装置と画像再生装置との間で管理レベルやパスワードの入力の有無に関わりなく画像データ等の転送及び記憶が行われるので送受信時に改めてパスワード等の入力が不要となる。また画像データの再生にあたっては、管理レベル制御手段が、第２入力手段によって入力されたパスワードのデータと第２データ管理情報記録手段に記録されているパスワードのデータが一致する場合に、画像再生装置によって画像の再生又は編集を受け付けるので、他人には見られたくない画像を他人の閲覧から保護することができる。これにより、プライバシーの保護を適切に行える。また、管理レベル毎に異なるパスワードを設定できるので、他人による閲覧の許可を細かく設定できるようになる。
【００１３】
請求項２の発明によれば、第１データ管理情報記録手段と第２データ管理情報記録手段が互いに対応関係にない場合、すなわちデータ管理情報に互換性がない場合には、画像撮像装置と画像再生装置が接続されても画像等のデータが転送されないので、無用なデータの転送を回避することができる。また、画像再生装置には、画像のデータが転送されないので、プライバシーの保護をより一層適切に行える。
【００１４】
請求項３の発明によれば、画像再生装置から送信されたパスワードのデータと第１データ管理情報記録手段に記録されているパスワードのデータが一致しない場合には、第１画像記録手段に記録されている画像等のデータが転送されないので、プライバシーの保護をより一層適切に行える。
【００１５】
請求項４の発明によれば、画像、管理レベル及びパスワードのデータは、同一の伝送線路を介して転送されるので、簡素な構成で画像撮像装置と画像再生装置とを接続できるようになる。
【００１６】
請求項５の発明によれば、大容量の画像のデータと、小容量の管理レベル及びパスワードのデータとを、伝送線路を異にして転送できるので、例えば、画像のデータに対して高速通信可能な伝送線路を用いることにより、迅速に画像データを転送できるようになる。
【００１７】
請求項６の発明によれば、データ管理情報に互換性を持たせることによって、異なるメーカの画像撮像装置と画像再生装置を組み合わせて請求項１乃至請求項５に記載のデジタルビデオシステムを構築できるようになる。
【図面の簡単な説明】
【００１８】
【図１】本発明の一実施形態によるデジタルビデオシステムの構成を示すブロック図。
【図２】管理レベルとパスワードの関係の一例を示す図。
【図３】同システムの画像撮像装置の動作を示すフローチャート。
【図４】同システムの画像再生装置の動作を示すフローチャート。
【発明を実施するための形態】
【００１９】
本発明の一実施形態によるデジタルビデオシステムについて図面を参照して説明する。図１はデジタルビデオシステムを示している。デジタルビデオシステム１は、画像を撮像する画像撮像装置（デジタルビデオカメラ）２と、画像撮像装置２によって撮像された画像を再生する画像再生装置（レコーダ）５とを備えている。
【００２０】
画像撮像装置２は、撮像部２１と、画像処理部２２と、録画再生機能部２３と、内蔵メモリ２４と、第１管理レベル制御部２５と、画像表示部２６と、転送制御部（転送制御手段）２７と、画像転送部２８と第１データ管理情報送受信部（第１データ管理情報送受信手段）２９と、入力部（第１入力手段）３０等を有している。撮像部２１は、レンズ等を介して画像を撮像して電気信号に変換する。画像処理部２２は、撮像部２１から出力された電気信号を処理する。録画再生機能部２３は、撮像部２１によって撮像された画像の録画及び再生の制御を司る。
【００２１】
内蔵メモリ２４は、画像撮像装置２から取外し不可能なように内蔵され、第１画像データ記録部（第１画像記録手段）２４１と第１データ管理情報記録部（第１データ管理情報記録手段）２４２を有している。画像データ記録部２４１は、画像処理部２２から出力された画像の電気信号を記録する。第１データ管理情報記録部２４２は、画像の管理レベル及び該管理レベルに対応するパスワードのデータを記録する。この第１データ管理情報記録部２４２によって記録される管理レベル及びパスワードは、入力部３０を介して入力される。第１管理レベル制御部２５は、入力部３０を介して入力された管理レベルの制御を司る。例えば、第１管理レベル制御部２５は、入力部３０を介して入力された管理レベル及びパスワードのデータを画像のデータに関連づけて第１データ管理情報記録部２４２に記録させる。
【００２２】
画像表示部２６は、撮像部２１によって撮像された画像又は画像データ記録部２４１によって記録されている画像を表示する。転送制御部２７は、画像再生装置５へのデータの転送の制御を司る。画像転送部２８は、転送制御部２７によって制御され、画像データ記録部２４１によって記録されている画像のデータを画像再生装置５に転送する。第１データ管理情報送受信部２９は、転送制御部２７によって制御され、第１データ管理情報記録部２４２によって記録されている管理レベル及びパスワードのデータを画像再生装置５に転送する。入力部３０は、ユーザによって操作され、管理レベル及びパスワードの入力に用いられる。
【００２３】
画像再生装置５は、画像入力部（受信手段）５１と、第２データ管理情報送受信部（受信手段）５２と、録画再生機能部５３と、記録メディア５４と、第２管理レベル制御部（第２管理レベル制御手段）５５と、画像出力部５６と、入力部（第２入力手段）５７等を有している。画像入力部５１は、画像転送部２８から転送された画像のデータを受信する。第２データ管理情報送受信部５２は、第１データ管理情報送受信部２９から転送された管理レベル及びパスワードのデータを受信する。録画再生機能部５３は、画像入力部５１によって受信された画像データの録画又は再生の制御を司る。
【００２４】
記録メディア５４は、例えば、ハードディスクや光ディスクであり、第２画像データ記録部（第２画像データ記録手段）５４１と第２データ管理情報記録部（第２データ管理情報記録手段）５４２を有している。画像データ記録部５４１は、画像入力部５１によって受信された画像データを記録する。第２データ管理情報記録部５４２は、第２データ管理情報送受信部（第２データ管理情報送受信手段）５２によって受信された画像の管理レベル及び該管理レベルに対応するパスワードのデータを記録する。第２管理レベル制御部５５は、入力部５７を介して入力された管理レベルの制御を司る。例えば、第２管理レベル制御部５５は、第２データ管理情報送受信部５２によって受信された画像の管理レベル及び該管理レベルに対応するパスワードのデータを画像のデータに関連づけて第２データ管理情報記録部５４２に記録させる。また、第２管理レベル制御部５５は、入力部５７によって入力されたパスワードのデータと第２データ管理情報記録部５４２に記録されているパスワードのデータとを照合する。画像出力部５６は、記録メディア５４に記録されている画像データを出力する。画像出力部５６にはモニタ装置等の画像表示装置が接続されて、画像が表示される。入力部５７は、ユーザによって操作され、パスワードの入力に用いられる。
【００２５】
本実施形態において、画像撮像装置２と画像再生装置５とは、ＨＤＭＩ（High-Definition Multimedia Interface）ケーブル６を介して接続される。ＨＤＭＩケーブル６は、画像のデータを伝送するための伝送線路６１と管理レベル及びパスワードのデータを伝送するための伝送線路６２を有する。伝送線路６１と伝送線路６２とは、異なる伝送線路とされる。
【００２６】
図２は、管理レベルとパスワードの関係の一例を示している。画像撮像装置２を操作して画像を撮像したユーザ（ユーザＡとする）が管理レベル１を選択した場合、画像再生装置５を操作するユーザ（ユーザＢとする）は、第１パスワードの入力のみで、画像を再生等することができる。ユーザＡが管理レベル２を選択した場合、ユーザＢは、第１パスワードと第２パスワードを入力することにより、画像を再生等することができる。同様にユーザＡが管理レベル３を選択した場合、ユーザＢは、第１パスワードと第２パスワードと第３パスワードを入力しなければ、画像を再生等することができない。このように、管理レベル毎にパスワードの個数を変更することにより、ユーザＡは、ユーザＢに応じて管理レベルを設定し、再生等の操作を段階的に制限することができる。なお、各管理レベルのパスワードの個数を１つとして、管理レベルに応じて異なるパスワードを設定するように構成してもよい。
【００２７】
図３は、画像撮像装置２の動作を示している。ユーザＡは、画像撮像装置２を操作して画像を撮像すると（＃１）、録画再生機能部２３は、撮像された画像を第１画像データ記録部２４１に記録させる。ユーザＡは、その画像の管理レベル及びパスワードを入力する（＃２）。第１管理レベル制御部２５は、入力された管理レベル及びパスワードを第１データ管理情報記録部２４２に記録させる。管理レベル及びパスワードの入力は、画像の撮像の際同時に行ってもよいし、その後行ってもよい。
【００２８】
そして、画像撮像装置２と画像再生装置５が接続されると（＃３）、転送制御部２７は、両者の対応関係を判定する（＃４）。ここで対応関係とは、例えば、画像撮像装置２と画像再生装置５が同等規格の管理レベル及びパスワードによって画像のデータの再生等を管理できる関係にある（互換性を有する）こと、すなわち、第１データ管理情報記録部２４２と第２データ管理情報記録部５４２が互いに対応関係にあることをいう。ＨＤＭＩケーブル６によって接続される機器は、互いの仕様等を各機器に付されたＩＤ等によって知ることができるため、接続時にＩＤ等を参照することにより、画像撮像装置２は画像再生装置５の対応関係を知ることができる。
【００２９】
接続された画像再生装置５が対応関係を有する場合（＃４においてＹＥＳ）、転送制御部２７は、第１画像データ記録部２４１によって記録されている画像のデータを画像転送部２８及び伝送線路６１を介して、画像再生装置５に転送する。また、第１データ管理情報記録部２４２によって記録されている管理レベル及びパスワードのデータを第１データ管理情報送受信部２９及び伝送線路６２を介して、画像再生装置５に転送する（＃５）。
【００３０】
図４は、画像再生装置５の動作を示している。画像入力部５１及び第２データ管理情報送受信部５２は、＃５において転送された画像、管理レベル及びパスワードのデータを受信する（＃１１）。録画再生機能部５３は、画像入力部５１によって受信された画像データを第２画像データ記録部５４１に記録させ、第２管理レベル制御部５５は、第２データ管理情報送受信部５２によって受信された管理レベル及びパスワードのデータを第２データ管理情報記録部５４２に記録させる（＃１２）。
【００３１】
その後、ユーザＢによって、入力部５７を介して上記画像の再生指令が入力され（＃１３）、パスワードが入力されると（＃１４）、第２管理レベル制御部５５は、入力部５７によって入力されたパスワードのデータと第２データ管理情報記録手段に記録されているパスワードのデータとを照合する（＃１５）。パスワードのデータの照合は、図２に示したような管理レベルとの対応関係を考慮してなされる。パスワードが一致すると（＃１５においてＹＥＳ）、録画再生機能部５３は、第２画像データ記録部５４１に記録させた画像データを再生する（＃１６）。
【００３２】
以上のように、本実施形態のデジタルビデオシステムによれば、第２管理レベル制御部５５が、第２入力部５７によって入力されたパスワードのデータと第２データ管理情報記録部５４２に記録されているパスワードのデータが一致する場合に、画像再生装置５によって画像の再生又は編集を受け付けるので、他人には見られたくない画像を他人の閲覧から保護することができる。これにより、プライバシーの保護を適切に行える。また、管理レベル毎に異なるパスワードを設定できるので、他人による閲覧の許可を細かく設定できるようになる。
【００３３】
また、第１データ管理情報記録部２４２と第２データ管理情報記録部５４２が互いに対応関係にない場合には、画像撮像装置２と画像再生装置５が接続されても画像等のデータが転送されないので、無用なデータの転送を回避することができる。また、画像再生装置５には、画像のデータが転送されないので、プライバシーの保護をより一層適切に行える。また、大容量の画像のデータと、小容量の管理レベル及びパスワードのデータとを、伝送線路を異にして転送できるので、例えば、画像のデータに対して高速通信可能な伝送線路６１を用いることにより、迅速に画像データを転送できるようになる。
【００３４】
なお、本発明は上記実施形態の構成に限られることなく、少なくとも第２管理レベル制御部５５が、再生又は編集時に第２入力部５７によって入力されたパスワードのデータと第２データ管理情報記録部５４２に記録されているパスワードを照合し、両者が一致する場合に、画像再生装置５によって画像の再生又は編集を受け付けるように構成されていればよい。
【００３５】
また、本発明は種々の変形が可能であり、例えば、＃４において、画像撮像装置２と画像再生装置５との対応関係を照合するだけでなく、画像再生装置５の入力部５７からパスワードの入力を促すように構成してもよい。この場合において、パスワードは、例えば、＃２、＃１４において入力されるものと同等であり、第２管理レベル制御部５５は、入力されたパスワードを第２データ管理情報送受信部５２を介して画像撮像装置２に送信する。第１データ管理情報送受信部２９を介してパスワードを受信した画像撮像装置２の第１管理レベル制御部２５は、受信したパスワードのデータと＃２において入力されたパスワードのデータを照合し、両者が一致する場合は＃５に移行して、管理レベル及びパスワードのデータを画像再生装置５に転送するように構成してもよい。この構成によれば、画像再生装置５から送信されたパスワードのデータと第１データ管理情報記録部２４２に記録されているパスワードのデータが一致しない場合には、第１画像データ記録部２４１に記録されている画像等のデータが転送されないので、プライバシーの保護をより一層適切に行える。
【００３６】
また、画像撮像装置２と画像再生装置５との接続にＵＳＢ（Universal Serial Bus）ケーブルを用いることにより、伝送線路６１と伝送線路６２を同一の伝送線路によって構成してもよい。この場合は、簡素な構成で画像撮像装置と画像再生装置とを接続できるようになる。また、画像撮像装置２と画像再生装置５との接続は、無線通信によってなされるものであってもよい。
【符号の説明】
【００３７】
１    デジタルビデオシステム
２    画像撮像装置
５    画像再生装置
２５    第１管理レベル制御部
２７    転送制御部（転送制御手段）
３０    入力部（第１入力手段）
５１    画像入力部（受信手段）
５２    第２データ管理情報送受信部（受信手段）
５５    第２管理レベル制御部（第２管理レベル制御手段）
５７    入力部（第２入力手段）
２４１    第１画像データ記録部（第１画像記録手段）
２４２    第１データ管理情報記録部（第１データ管理情報記録手段）
５４１    第２画像データ記録部（第２画像記録手段）
５４２    第２データ管理情報記録部（第２データ管理情報記録手段）
【図１】
2011108108.tif 000003
【図２】
2011108108.tif 000004
【図３】
2011108108.tif 000005
【図４】
2011108108.tif 000006